(57)【要約】【課題】従来の複数のアンテナが存在し電波の相互干渉が著しい携帯機器に対して、複数のアンテナ同士の干渉を防ぐことができる携帯機器を提供することを目的とする【解決手段】電源として用いられ充電される電池パック４と、外部機器との近距離無線通信を行う複数のアンテナ３と、配線パターンが形成された回路基板９とを筐体１内に備えた携帯機器１０１において、回路基板９の外周端面９ｐ側に第一のアンテナ１３を螺旋状に設け、扁平状の粉末磁性体を面内方向に配向させた第１の磁性体シート１２を第一のアンテナ１３の螺旋内周側に沿って環状に設け、回路基板９の平面９ｂと筐体１の片面との間に渦巻き形状の第二のアンテナ２３を設け、第二のアンテナ２３と回路基板９との間に扁平状の粉末磁性体を面内方向に配向させた第２の磁性体シート２２を平面状に設けたことを特徴としている。【選択図】図１
2014179663.tif 000002
【特許請求の範囲】
【請求項１】
電源として用いられ充電される電池パックと、外部機器との近距離無線通信を行う複数のアンテナと、配線パターンが形成された回路基板とを筐体内に備えた携帯機器において、
前記回路基板の外周端面側に第一のアンテナを螺旋状に設け、
扁平状の粉末磁性体を面内方向に配向させた第１の磁性体シートを前記第一のアンテナの螺旋内周側に沿って環状に設け、
前記回路基板の平面と前記筐体の片面との間に渦巻き形状の第二のアンテナを設け、
前記第二のアンテナと前記回路基板との間に扁平状の粉末磁性体を面内方向に配向させた第２の磁性体シートを平面状に設けたことを特徴とする携帯機器。
【請求項２】
前記第１の磁性体シートは、環状の端部から延設され前記回路基板の平面と対向した延設部を有していることを特徴とする請求項１に記載の携帯機器。
【請求項３】
前記延設部は、前記第１の磁性体シートの環状の両端側に設けられていることを特徴とする請求項２に記載の携帯機器。
【請求項４】
前記第一のアンテナが磁気共鳴を用いた無接点電力伝送用のアンテナで、前記第二のアンテナがＲＦＩＤ用のアンテナであることを特徴とする請求項１ないし請求項３のいずれかに記載の携帯機器。
【請求項５】
前記第一のアンテナの外周径が前記第二のアンテナの外周径よりも大きいことを特徴とする請求項１ないし請求項４のいずれかに記載の携帯機器。
【請求項６】
前記回路基板と前記第２の磁性体シートとの間には、電池パックが配置されていることを特徴とする請求項１ないし請求項５のいずれかに記載の携帯機器。
【発明の詳細な説明】
【技術分野】
【０００１】
本発明は、外部機器との近距離無線通信を行う複数のアンテナを有した携帯機器に関する。
【背景技術】
【０００２】
最近の携帯電話や携帯情報端末等の携帯機器において、非接触式ＩＣカードを用いた、所謂ＲＦＩＤ（Radio Frequency Identification）に代表される近距離無線通信の機能を備えた機器が一般的に出てきている。この非接触型のＲＦＩＤの従来技術として、特許文献１では、図８に示すように、携帯機器側に設けられたアンテナモジュール８２０のアンテナコイル８２２とリーダーライタ８１０側のコイルアンテナ８１２との間で、電磁誘導作用を用いることで、近距離無線通信を行った方法が提案されている。図８に示すアンテナモジュール８２０は、金属シールド板８２５とアンテナコイル８２２との間に、使用周波数における比透磁率μｒの実部μｒ’×Ｑ値が大きい磁芯部材８２８を配置し、この磁芯部材８２８によって、リーダーライタ８１０のコイルアンテナ８１２により生じる磁束ループＭＲがアンテナコイル８２２を通過し易くなり、通信性能の劣化を抑制し、所期の通信距離を確保することができるとしている。
【０００３】
また、携帯機器の多くは、再充電可能な二次電池を組み込み、定期的に充電を繰り返しながら使用されているが、この充電に際して、有線を用いて行う不便さや煩わしさから、非接触（無接点）で充電できる技術の要求が高まってきた。そして、非接触（無接点）で電力を伝送する方式、所謂無接点電力伝送方式はいくつかあるが、特許文献２のような磁気共鳴を用いて磁界エネルギーとして伝送する方式が有望視されている。
【０００４】
この特許文献２では、図９に示すように、無線電力供給システム９００は、送電共振コイル９１２と電源部９１１と制御部９１６とを備えた送電装置９０１と、受電共振コイル９２２と電力受給部９２１とを備えた受電装置９０２とから構成される。そして、ヘリカルコイルを用いた送電共振コイル９１２とヘリカルコイルを用いた受電共振コイル９２２とをコイル軸方向ＣＤに対向させ、磁気共鳴を用いて磁界エネルギーとして送受信している。また、ヘリカルコイルを用いなく、平面コイルを用いた場合でも同様に、平面コイル同士をコイル軸方向に対向させて送受信するのが一般的である。
【先行技術文献】
【特許文献】
【０００５】
【特許文献１】特開２００５−３４０７５９号公報
【特許文献２】特開２０１０−２３９８１６号公報
【発明の概要】
【発明が解決しようとする課題】
【０００６】
しかしながら、近距離無線通信に用いられる信号の周波数は、低周波帯域の周波数を用いることが多く、複数のアンテナが存在した場合、複数のアンテナ同士間で干渉が起きてしまうと言う問題があった。特に、従来例１のＲＦＩＤと従来例２の磁気共鳴を用いた無接点電力伝送方式の信号の周波数は、いずれも１３．５６ＭＨｚを用いており、同じ周波数のため、電波の相互干渉が著しいものとなっていた。
【０００７】
本発明は、上述した課題を解決するもので、複数のアンテナ同士の干渉を防ぐことができる携帯機器を提供することを目的とする。
【課題を解決するための手段】
【０００８】
この課題を解決するために、本発明の請求項１による携帯機器は、電源として用いられ充電される電池パックと、外部機器との近距離無線通信を行う複数のアンテナと、配線パターンが形成された回路基板とを筐体内に備えた携帯機器において、前記回路基板の外周端面側に第一のアンテナを螺旋状に設け、扁平状の粉末磁性体を面内方向に配向させた第１の磁性体シートを前記第一のアンテナの螺旋内周側に沿って環状に設け、前記回路基板の平面と前記筐体の片面との間に渦巻き形状の第二のアンテナを設け、前記第二のアンテナと前記回路基板との間に扁平状の粉末磁性体を面内方向に配向させた第２の磁性体シートを平面状に設けたことを特徴としている。
【０００９】
また、本発明の請求項２による携帯機器は、前記第１の磁性体シートが、環状の端部から延設され前記回路基板の平面と対向した延設部を有していることを特徴としている。
【００１０】
また、本発明の請求項３による携帯機器は、前記延設部が、前記第１の磁性体シートの環状の両端側に設けられていることを特徴としている。
【００１１】
また、本発明の請求項４による携帯機器は、前記第一のアンテナが磁気共鳴を用いた無接点電力伝送用のアンテナで、前記第二のアンテナがＲＦＩＤ用のアンテナであることを特徴としている。
【００１２】
また、本発明の請求項５による携帯機器は、前記第一のアンテナの外周径が前記第二のアンテナの外周径よりも大きいことを特徴としている。
【００１３】
また、本発明の請求項６による携帯機器は、前記回路基板と前記第２の磁性体シートとの間には、電池パックが配置されていることを特徴としている。
【発明の効果】
【００１４】
請求項１の発明によれば、本発明の携帯機器は、回路基板の外周端面側に螺旋状の第一のアンテナを設け、回路基板の平面と対向する位置に第二のアンテナを設けたことにより、それぞれのアンテナの強感度位置がずれるようになる。このことにより、同じような周波数を用いる近距離無線通信を行うアンテナであっても、それぞれのアンテナ同士の干渉を防ぐことができる。
【００１５】
請求項２の発明によれば、本発明の携帯機器は、第１の磁性体シートが回路基板の平面と対向した延設部を有しているので、回路基板の配線パターンから生じる磁界を遮蔽することができる。このことにより、回路基板による第一のアンテナの磁界の乱れを少なくすることができ、第一のアンテナの受信性能を向上させることができる。
【００１６】
請求項３の発明によれば、本発明の携帯機器は、延設部が第１の磁性体シートの環状の両端側に設けられているので、回路基板の配線パターンから生じる磁界をより遮蔽することができる。このことにより、回路基板による第一のアンテナの磁界の乱れをより少なくすることができき、第一のアンテナの受信性能をより向上させることができる。
【００１７】
請求項４の発明によれば、本発明の携帯機器は、回路基板の外周端面側に周設された第一のアンテナが無接点電力伝送用のアンテナで、回路基板の平面と対向した第二のアンテナがＲＦＩＤ用のアンテナなので、給電装置から送信された電力を第一のアンテナで広範囲に受けることができるとともに、リーダーライタから送信された信号を第二のアンテナの渦巻き状パターンの中心部分で受けることができる。このことにより、リーダーライタに携帯機器をかざす位置が特定しやすいとともに、各々のアンテナの送受信性能を向上させることができる。
【００１８】
請求項５の発明によれば、本発明の携帯機器は、第一のアンテナの外周径が第二のアンテナの外周径よりも大きいので、第一のアンテナの外周径と第二のアンテナの外周径が同様な場合と比較して、それぞれのアンテナの強感度の位置がより離れるので、アンテナ同士の干渉をより防ぐことができる。
【００１９】
請求項６の発明によれば、本発明の携帯機器は、第二のアンテナと電池パックとの間に第２の磁性体シートが配置されているので、第２の磁性体シートにより、箱状ケースが金属製の電池パックからの影響を第二のアンテナが受けないようにすることができる。このことにより、近距離無線通信の第二のアンテナの送受信性能をより向上させることができる。
【００２０】
したがって、本発明の携帯機器は、複数のアンテナ同士の干渉を防ぐことができる携帯機器を提供できる。
【図面の簡単な説明】
【００２１】
【図１】本発明の第１実施形態の携帯機器を説明する図であって、携帯機器の断面構成図である。
【図２】本発明の第１実施形態の携帯機器を説明する図であって、筐体を省略した複数のアンテナ部分の側面図である。
【図３】本発明の第１実施形態の携帯機器を説明する図であって、図２に示すＹ１側から見た正面図である。
【図４】本発明の第１実施形態の携帯機器を説明する図であって、図２に示すＹ２側から見た正面図である。
【図５】本発明の第１実施形態の携帯機器に用いた磁性体シートを説明する図であって、図５（ａ）は、図１に示すＰ部分の断面模式図であり、図５（ｂ）は、磁性体シートの断面ＳＥＭ写真の一例である。
【図６】本発明の第１実施形態の携帯機器に用いた磁性体シートを説明する図であって、図６（ａ）は、図１に示すＱ部分及びＲ部分の断面模式図であり、図６（ｂ）は、磁性体シートの断面ＳＥＭ写真の一例である。
【図７】本発明の第１実施形態の携帯機器に備えられたアンテナ近傍の磁束を示した構成図である。
【図８】従来例１におけるアンテナモジュールを用いた近距離無線通信を説明する図である。
【図９】従来例２における無線電力供給システムの構成の一例を示す図である。
【発明を実施するための形態】
【００２２】
以下、本発明の実施の形態について添付図面を参照して詳細に説明する。
【００２３】
［第１実施形態］
図１は、本発明の第１実施形態の携帯機器１０１を説明する図であって、携帯機器１０１の断面構成図である。図２は、本発明の第１実施形態の携帯機器１０１を説明する図であって、筐体１を省略した複数のアンテナ３部分の側面図である。図３は、本発明の第１実施形態の携帯機器１０１を説明する図であって、図２に示すＹ１側から見た正面図である。図４は、本発明の第１実施形態の携帯機器１０１を説明する図であって、図２に示すＹ２側から見た正面図である。図５は、本発明の第１実施形態の携帯機器１０１に用いた磁性体シートＪ２を説明する図であって、図５（ａ）は、図１に示すＰ部分の断面模式図であり、図５（ｂ）は、磁性体シートＪ２の断面ＳＥＭ写真の一例である。図６は、本発明の第１実施形態の携帯機器１０１に用いた磁性体シートＪ２を説明する図であって、図６（ａ）は、図１に示すＱ部分及びＲ部分の断面模式図であり、図６（ｂ）は、磁性体シートＪ２の断面ＳＥＭ写真の一例である。
【００２４】
本発明の第１実施形態の携帯機器１０１は、図１ないし図４に示すように、筐体１と、第１の磁性体シート１２及び第２の磁性体シート２２と、外部機器との近距離無線通信を行う複数のアンテナ３と、電源として用いられる電池パック４と、配線パターンが形成された回路基板９と、を備えて構成される。そして、複数のアンテナ３の内の一つが回路基板９の外周端面９ｐ側に螺旋状に設けられた第一のアンテナ１３で、複数のアンテナ３の内の一つが回路基板９（９Ｂ）の平面９ｂと筐体１の片面との間に設けられた渦巻き状の第二のアンテナ２３である。
【００２５】
携帯機器１０１の筐体１は、ＡＢＳ（アクリロニトリルブタジエンスチレン）、ＰＢＴ（ポリブチレンテレフタレート）等の合成樹脂材料を用い、図１に示すように、表ケース１１と裏ケース３１とから構成され、箱状の形状で形成されている。また、裏ケース３１には、裏蓋７１が設けられ、電源として用いられる電池パック４の取り出しが可能になっている。なお、表ケース１１及び裏ケース３１の形成は、合成樹脂材料を用いているので、射出成形等で、容易に作製することができる。
【００２６】
筐体１の表ケース１１の前面側（Ｙ１側）には、表示部Ｌ７が設けられており、文字あるいは画像等の情報を表示するために、液晶や有機ＥＬ等の表示素子を用いている。また、表示部Ｌ７の前面には、タッチパネルＴ７が設けられ、ユーザが携帯機器１０１の操作を行えるようになっている。また、筐体１の裏ケース３１の背面側（Ｙ２側）に配置された電池パック４は、リチウムイオン二次電池が用いられ、金属製の箱状ケースに収められている。
【００２７】
回路基板９（９Ａ、９Ｂ）は、ガラス入りのエポキシ樹脂からなり、一般に広く知られている多層のプリント配線板（ＰＣＢ）を用いており、回路基板９（９Ａ、９Ｂ）には、制御回路、送信回路および受信回路等が設けられている。なお、回路基板９（９Ａ、９Ｂ）にガラス入りのエポキシ樹脂からなる多層プリント配線板（ＰＣＢ）を用いたが、これに限定されるものではなく、例えばポリイミド樹脂を用いたフレキシブル配線板やセラミック配線板を用いても良い。
【００２８】
外部機器との近距離無線通信を行う複数のアンテナ３の一つは、磁気共鳴を用いた無接点電力伝送用の第一のアンテナ１３であり、共振周波数として、１３．５６ＭＨｚを用いている。また、複数のアンテナ３のもう一つは、ＲＦＩＤ（Radio Frequency Identification）用の第二のアンテナ２３であり、信号の周波数として、１３．５６ＭＨｚに代表される低周波の周波数帯域を用いている。
【００２９】
第一のアンテナ１３は、導電性の材料からなり、例えば銅または銅合金を好適に用い、図２ないし図４に示すように、後述する第１の磁性体シート１２の外側に導線を螺旋状に巻き付けて作製される。そして、第１の磁性体シート１２の中に回路基板９（９Ａ、９Ｂ）が収められているので、螺旋状の第一のアンテナ１３は、回路基板９（９Ａ、９Ｂ）の外周端面９ｐ側になるように配置されている。また、導線の両端側には、第一のアンテナ１３への給電を行うため、回路基板９との接続用の接続端子部１３ｔがそれぞれ設けられている。なお、第一のアンテナ１３の材料として、銅または銅合金を好適に用いたが、他の導電性の材料でも良く、例えば銀または銀合金，ニッケルまたはニッケル合金，アルミニウムまたはアルミニウム合金等でも良い。
【００３０】
第二のアンテナ２３は、図２及び図４に示すように、絶縁基材２３Ｋの片面上に渦巻き状のパターンで形成され、バインダー樹脂と導電性部材とを有した導電性インクをスクリーン版で印刷し、乾燥，固化する方法を用いて導体パターンを作製している。導電性部材には、銀等の導電性粉末を用い、絶縁基材２３Ｋには、ＰＥＴ（ポリエチレンテレフタレート）或いはＰＥＮ（ポリエチレンナフタレート）等のフィルム基材を用いている。また、第二のアンテナ２３への給電を行うため、絶縁性の合成樹脂を用いた層間絶縁層２３ｒを利用して、絶縁基材２３Ｋの片側辺部に、回路基板９との接続用の取出端子２３ｔをそれぞれ片面側に設けている。
【００３１】
また、第二のアンテナ２３は、図１に示すように、筐体１の裏ケース３１の背面側（Ｙ２側）に配置され、回路基板９（９Ｂ）の平面９ｂと対向するように設けられている。また、図４に示すように、第二のアンテナ２３の外周径よりも、第一のアンテナ１３の外周径の方が大きく形成されている。
【００３２】
第１の磁性体シート１２は、図５に示すような扁平状の粉末磁性体Ｍ５を面内方向ＰＤに配向ＨＤさせた磁性体シートＪ２を用い、図２ないし図４に示すように、回路基板９（９Ａ、９Ｂ）の外周端面９ｐ側を取り囲むように環状に形成された環状基部１２Ｋと、環状基部１２Ｋの端部から延設されて設けられた延設部１２Ｔとから構成されている。そして、環状基部１２Ｋには、前述した第一のアンテナ１３の導線が螺旋状に巻き付けられており、結果として、第一のアンテナ１３の螺旋内周側に沿って、第１の磁性体シート１２が環状に設けられていることになる。
【００３３】
また、延設部１２Ｔは、回路基板９（９Ａ、９Ｂ）の平面９ｆの端部部分と対向するように形成されており、さらに、環状基部１２Ｋの両端側にそれぞれ設けられているとともに、環状に形成された環状基部１２Ｋの端部の全てから延設部１２Ｔが形成されている。これにより、延設部１２Ｔが、回路基板９（９Ａ、９Ｂ）の平面９ｆの端部部分全てと対向するようになっている。
【００３４】
第２の磁性体シート２２は、図６に示すような扁平状の粉末磁性体Ｍ５を面内方向ＰＤに配向ＨＤさせた磁性体シートＪ２を用い、図１ないし図４に示すように、平面状の形状をしており、前述した第二のアンテナ２３と回路基板９（９Ｂ）との間に配置されている。さらに、回路基板９（９Ｂ）と第２の磁性体シート２２との間には、電池パック４が配置されている。
【００３５】
第１の磁性体シート１２及び第２の磁性体シート２２に用いた磁性体シートＪ２は、図５及び図６に示すように、ＡＢＳ（アクリロニトリルブタジエンスチレン）、ＰＰ（ポリプロピレン）等の合成樹脂Ｐ５と、扁平状の粉末磁性体Ｍ５とから構成され、板状の形状をしている。また、磁性体シートＪ２は、合成樹脂Ｐ５のマトリックスに、扁平状の粉末磁性体Ｍ５の長手方向が磁性体シートＪ２の面内方向ＰＤの所望の方向に揃えた形で、複数の扁平状の粉末磁性体Ｍ５を並べるように配向ＨＤさせている。ここで言う配向ＨＤとは、複数の扁平状の粉末磁性体Ｍ５の平均傾き角度が磁性体シートＪ２の面内方向ＰＤに対して、４５°以下の状態を指し、好ましくは１０°以下の状態を指している。このようにして、複数の扁平状の粉末磁性体Ｍ５の磁化が磁性体シートＪ２の面内方向ＰＤの所望の方向に配向ＨＤするようになり、磁性体シートＪ２の磁界の向きが、所望の方向に揃うようになる。このため、所望の方向の磁路抵抗が下がり、磁束が面内方向ＰＤに通りやすくなる。
【００３６】
次に、このようにして構成された本発明の第１実施形態の携帯機器１０１における各アンテナ３近傍の磁界の流れについて、図７を用いて説明する。図７は、本発明の第１実施形態の携帯機器１０１に備えられたアンテナ３近傍の磁束ＭＢを示した構成図である。
【００３７】
第一のアンテナ１３近傍の磁界は、導線の螺旋形状の中心を貫く方向（Ｙ１−Ｙ２方向）に発生し、図７に示すように、磁束ＭＢは、螺旋形状の導線の近傍を中心としてループ状に広がっている。特に、図５に示すように、螺旋形状の導線の近傍の第１の磁性体シート１２の面内方向ＰＤがＹ１−Ｙ２方向に向いているので、第１の磁性体シート１２のＹ１−Ｙ２方向の磁路抵抗が下がり、第１の磁性体シート１２を磁束ＭＢが通りやすくなっている。このため、無接点電力伝送用の給電装置の送電コイルＳ１３と第一のアンテナ１３とが磁気共鳴し易くなり、第一のアンテナ１３の第１の磁性体シート１２及び螺旋形状の導線近傍のアンテナ感度が強くなる。
【００３８】
また、第二のアンテナ２３近傍の磁界は、図７に示すように、リーダーライタ側のコイルＲ２３により生じる磁束ＭＢが、第二のアンテナ２３の背面側（Ｙ１側）に配置された第２の磁性体シート２２を通過するようになるので、第二のアンテナ２３を通過し易くなっている。特に、図６に示すように、第２の磁性体シート２２の面内方向ＰＤがＺ１−Ｚ２方向に向いているので、第２の磁性体シート２２のＺ１−Ｚ２方向の磁路抵抗が下がり、第２の磁性体シート２２を磁束ＭＢが通りやすくなっている。このため、第二のアンテナ２３とリーダーライタ側のコイルＲ２３との磁束ループが確実なものとなり、第二のアンテナ２３とコイルＲ２３とが磁気結合し易くなる。このことにより、第二のアンテナ２３の渦巻き状パターンの中心部分のアンテナ感度が強くなる。
【００３９】
このようにして、回路基板９（９Ａ、９Ｂ）の外周端面９ｐ側に螺旋状の第一のアンテナ１３を設け、回路基板９（９Ｂ）の平面９ｂと対向する位置に第二のアンテナ２３を設けたことにより、それぞれのアンテナの強感度の位置がずれるようになる。このことにより、同じような周波数を用いる近距離無線通信を行うアンテナであっても、それぞれのアンテナ同士の干渉を防ぐことができる。
【００４０】
また、回路基板９（９Ａ、９Ｂ）の外周端面９ｐ側に周設された第一のアンテナ１３が無接点電力伝送用のアンテナで、回路基板９（９Ｂ）の平面９ｂと対向した第二のアンテナ２３がＲＦＩＤ用のアンテナなので、給電装置から送信された電力を第一のアンテナ１３で広範囲に受けることができるとともに、リーダーライタから送信された信号を第二のアンテナ２３の渦巻き状パターンの中心部分で受けることができる。このことにより、リーダーライタに携帯機器１０１をかざす位置が特定しやすいとともに、各々のアンテナの送受信性能を向上させることができる。
【００４１】
さらに、第一のアンテナ１３の共振周波数が１３．５６ＭＨｚで、第二のアンテナ２３の信号の周波数が１３．５６ＭＨｚと同じ周波数であっても、回路基板９（９Ａ、９Ｂ）の外周端面９ｐ側に第一のアンテナ１３を設け、回路基板９（９Ｂ）の平面９ｂと対向する位置に第二のアンテナ２３を設けたことにより、それぞれのアンテナの強感度の位置がずれるようになるので、それぞれのアンテナ同士の干渉を防ぐことができる。
【００４２】
また、第一のアンテナ１３の外周径が第二のアンテナ２３の外周径よりも大きいので、第一のアンテナ１３の外周径と第二のアンテナ２３の外周径が同様な場合と比較して、それぞれのアンテナの強感度の位置がより離れるので、アンテナ同士の干渉をより防ぐことができる。
【００４３】
また、第１の磁性体シート１２が回路基板９（９Ａ、９Ｂ）の平面９ｆと対向した延設部１２Ｔを有しているので、回路基板９（９Ａ、９Ｂ）の配線パターンから生じる磁界を遮蔽することができる。このことにより、回路基板９（９Ａ、９Ｂ）による第一のアンテナ１３の磁界の乱れを少なくすることができ、第一のアンテナ１３の受信性能を向上させることができる。
【００４４】
さらに、延設部１２Ｔが第１の磁性体シート１２の環状基部１２Ｋの両端側に設けられているので、回路基板９（９Ａ、９Ｂ）の配線パターンから生じる磁界をより遮蔽することができる。このことにより、回路基板９（９Ａ、９Ｂ）による第一のアンテナ１３の磁界の乱れをより少なくすることができ、第一のアンテナ１３の受信性能をより向上させることができる。
【００４５】
また、第二のアンテナ２３と電池パック４との間に第２の磁性体シート２２が配置されているので、第２の磁性体シート２２により、箱状ケースが金属製の電池パック４からの影響を第二のアンテナ２３が受けないようにすることができる。このことにより、近距離無線通信の第二のアンテナ２３の送受信性能をより向上させることができる。
【００４６】
以上により、本発明の携帯機器１０１は、回路基板９（９Ａ、９Ｂ）の外周端面９ｐ側に螺旋状の第一のアンテナ１３を設け、回路基板９（９Ｂ）の平面９ｂと対向する位置に第二のアンテナ２３を設けたことにより、それぞれのアンテナの強感度の位置がずれるようになる。このことにより、同じような周波数を用いる近距離無線通信を行うアンテナであっても、それぞれのアンテナ同士の干渉を防ぐことができる。
【００４７】
また、第１の磁性体シート１２が回路基板９（９Ａ、９Ｂ）の平面９ｆと対向した延設部１２Ｔを有しているので、回路基板９（９Ａ、９Ｂ）の配線パターンから生じる磁界を遮蔽することができる。このことにより、回路基板９（９Ａ、９Ｂ）による第一のアンテナ１３の磁界の乱れを少なくすることができ、第一のアンテナ１３の感度を高めることができる。
【００４８】
また、延設部１２Ｔが第１の磁性体シート１２の環状基部１２Ｋの両端側に設けられているので、回路基板９（９Ａ、９Ｂ）の配線パターンから生じる磁界をより遮蔽することができる。このことにより、回路基板９（９Ａ、９Ｂ）による第一のアンテナ１３の磁界の乱れをより少なくすることができ、第一のアンテナ１３の感度をより高めることができる。
【００４９】
また、回路基板９（９Ａ、９Ｂ）の外周端面９ｐ側に周設された第一のアンテナ１３が無接点電力伝送用のアンテナで、回路基板９（９Ｂ）の平面９ｂと対向した第二のアンテナ２３がＲＦＩＤ用のアンテナなので、給電装置から送信された電力を第一のアンテナ１３で広範囲に受けることができるとともに、リーダーライタから送信された信号を第二のアンテナ２３の渦巻き状パターンの中心部分で受けることができる。このことにより、リーダーライタに携帯機器１０１をかざす位置が特定しやすいとともに、各々のアンテナの受信性能を向上させることができる。
【００５０】
さらに、第一のアンテナ１３の共振周波数が１３．５６ＭＨｚで、第二のアンテナ２３の信号の周波数が１３．５６ＭＨｚと同じ周波数であっても、回路基板９（９Ａ、９Ｂ）の外周端面９ｐ側に第一のアンテナ１３を設け、回路基板９（９Ｂ）の平面９ｂと対向する位置に第二のアンテナ２３を設けたことにより、それぞれのアンテナの強感度の位置がずれるようになるので、それぞれのアンテナ同士の干渉を防ぐことができる。
【００５１】
また、第一のアンテナ１３の外周径が第二のアンテナ２３の外周径よりも大きいので、第一のアンテナ１３の外周径と第二のアンテナ２３の外周径が同様な場合と比較して、それぞれのアンテナの強感度の位置がより離れるので、アンテナ同士の干渉をより防ぐことができる。
【００５２】
また、第二のアンテナ２３と電池パック４との間に第２の磁性体シート２２が配置されているので、第２の磁性体シート２２により、箱状ケースが金属製の電池パック４からの影響を第二のアンテナ２３が受けないようにすることができる。このことにより、近距離無線通信の第二のアンテナ２３の送受信性能をより向上させることができる。
【００５３】
なお、本発明は上記実施形態に限定されるものではなく、例えば次のように変形して実施することができ、これらの実施形態も本発明の技術的範囲に属する。
【００５４】
＜変形例１＞
上記実施形態では、第１の磁性体シート１２の外側に導線を螺旋状に巻き付けて第一のアンテナ１３を作製したが、第１の磁性体シート１２に導電性インクを印刷し、乾燥，固化して第一のアンテナを作製しても良い。
【００５５】
＜変形例２＞
上記実施形態では、絶縁基材２３Ｋの片面上に導電性インクをスクリーン版で印刷し、乾燥，固化して、第二のアンテナ２３の導体パターンを作製したが、両面のプリント配線板（ＰＣＢ）を用い、フォトリソグラフィー法により銅または銅合金からなる導体をパターニングし、絶縁基材及び第二のアンテナとしても良い。
【００５６】
＜変形例３＞
上記実施形態では、絶縁基材２３Ｋの片面上に第二のアンテナ２３の導体パターンを設けるように構成したが、第２の磁性体シート２２の片面上に、第二のアンテナを直接設ける構成にしても良い。
【００５７】
＜変形例４＞
上記実施形態では、延設部１２Ｔが第１の磁性体シート１２の環状基部１２Ｋの両端側に設ける構成にしてより好適にしているが、図１に示すＹ１側にのみ延設部を設ける構成にしても良い。
【００５８】
＜変形例５＞
上記実施形態では、外部機器との近距離無線通信を行う複数のアンテナ３として、無接点電力伝送用の第一のアンテナ１３とＲＦＩＤ用の第二のアンテナ２３とを用いた構成にしたが、これらのアンテナに限るものではなく、近距離無線通信を行うアンテナであればいずれのアンテナでも良い。また、２つに限るものではなく、３つ以上設けても良い。
【００５９】
本発明は上記実施の形態に限定されず、本発明の目的の範囲を逸脱しない限りにおいて適宜変更することが可能である。
【符号の説明】
【００６０】
１  筐体
１２  第１の磁性体シート
１２Ｔ  延設部
２２  第２の磁性体シート
３  アンテナ
１３  第一のアンテナ
２３  第二のアンテナ
４  電池パック
９  回路基板
９ｂ、９ｆ  平面
９ｐ  外周端面
１０１  携帯機器
Ｍ５  粉末磁性体
ＰＤ  面内方向
ＨＤ  配向    
【図１】
2014179663.tif 000003
【図２】
2014179663.tif 000004
【図３】
2014179663.tif 000005
【図４】
2014179663.tif 000006
【図５】
2014179663.tif 000007
【図６】
2014179663.tif 000008
【図７】
2014179663.tif 000009
【図８】
2014179663.tif 000010
【図９】
2014179663.tif 000011